(57)【特許請求の範囲】
【請求項１】
内面シートと、外面シートと、これら内外面シート間に介在する吸収体とを備え、前後の長手方向に前胴周り域と、後胴周り域と、これら両域間に位置する股下域とを有し、前記股下域の両側縁部それぞれで着用者の脚周りを覆うことができる使い捨ておむつにおいて、
前記内面シートと前記外面シートとが前記長手方向と直交する幅方向に弾性伸縮性を有するシートで形成され、前記内面シートおよび外面シートには、前記股下域の両側縁部を構成する脚周り内面シートと脚周り外面シートとがそれぞれ取り付けられ、
前記脚周り内面シートと前記脚周り外面シートとが、前記長手方向と前記幅方向とに弾性伸縮性を有するエラストマーフィルムで形成されることを特徴とする前記おむつ。
【請求項２】
内面シートと、外面シートと、これら内外面シート間に介在する吸収体とを備え、前後の長手方向に前胴周り域と、後胴周り域と、これら両域間に位置する股下域とを有し、前記股下域の両側縁部それぞれで着用者の脚周りを覆うことができる使い捨ておむつにおいて、
前記内面シートが、前記長手方向と直交する幅方向に弾性伸縮性を有するシートから形成される前胴周り域内面シートおよび後胴周り域内面シート、並びに前記長手方向と前記幅方向とに弾性伸縮性を有するエラストマーフィルムで形成された股下域内面シートから構成され、
前記外面シートが、前記長手方向と直交する幅方向に弾性伸縮性を有するシートから形成される前胴周り域外面シートおよび後胴周り域外面シート、並びに前記長手方向と前記幅方向とに弾性伸縮性を有するエラストマーフィルムで形成された股下域外面シートから構成されることを特徴とする前記おむつ。
【請求項３】
前記脚周り内面シートおよび脚周り外面シートは、前記長手方向と前記幅方向とに弾性伸縮性を有する１枚のシートが兼ねている請求項１記載のおむつ。
【請求項４】
前記前後胴周り域および股下域にはギャザーが形成されていない請求項１〜３のいずれかに記載のおむつ。
【発明の詳細な説明】
【０００１】
【発明の属する技術分野】
この発明は、使い捨ておむつに関する。
【０００２】
【従来の技術】
従来、使い捨ておむつの内外面シートが弾性的に非伸縮性の不織布やプラスチックフィルムであって、おむつの胴周り縁部や脚周り縁部に弾性部材を伸長状態で取り付けることによって、それら縁部にギャザーを形成し、おむつ着用者の胴周りや脚周りにおむつをフィットさせることは周知である。
【０００３】
【発明が解決しようとする課題】
前記従来のおむつは、前記ギャザーの影響で小さく縮んだ状態にあるから、これを乳幼児に着用させるには、予めそのギャザーを伸長しておむつを大きく広げて着用を容易にするという手間を要する。また、前記従来のおむつは、弾性部材の延びる方向にのみ伸縮するもので、着用者の身体の複雑な動きには必ずしも十分に追随できず、着用したおむつがずり落ちたり、よじれたりし易い。
【０００４】
そこで、この発明が課題とするのは、着用するときにギャザーを伸長する手間が不要であり、かつ、着用者の身体の動きによく追随することができる使い捨ておむつの提供である。
【０００５】
【課題を解決するための手段】
前記課題を解決するためのこの発明は、第１発明と第２発明とによって構成される。前記第１，第２発明が前提とするのは、内面シートと、外面シートと、これら内外面シート間に介在する吸収体とを備え、前後の長手方向に前胴周り域と、後胴周り域と、これら両域間に位置する股下域とを有し、前記股下域の両側縁部それぞれで着用者の脚周りを覆うことができる使い捨ておむつである。
【０００６】
かかる前提において、第１発明が特徴とするところは、前記内面シートが、前記長手方向と直交する幅方向に弾性伸縮性を有するシートから形成される前胴周り域内面シートおよび後胴周り域内面シート、並びに前記長手方向と前記幅方向とに弾性伸縮性を有するエラストマーフィルムで形成された股下域内面シートから構成され、前記外面シートが、前記長手方向と直交する幅方向に弾性伸縮性を有するシートから形成される前胴周り域外面シートおよび後胴周り域外面シート、並びに前記長手方向と前記幅方向とに弾性伸縮性を有するエラストマーフィルムで形成された股下域外面シートから構成されること、にある。
【０００７】
第２発明が特徴とするところは、前記内面シートが、前記長手方向と直交する幅方向に弾性伸縮性を有するシートから形成される前胴周り域内面シートおよび後胴周り域内面シート、並びに前記長手方向と前記幅方向とに弾性伸縮性を有するエラストマーフィルムで形成された股下域内面シートから構成され、前記外面シートが、前記長手方向と直交する幅方向に弾性伸縮性を有するシートから形成される前胴周り域外面シートおよび後胴周り域外面シート、並びに前記長手方向と前記幅方向とに弾性伸縮性を有するエラストマーフィルムで形成された股下域外面シートから構成されること、にある。
【０００８】
好ましい実施態様の他の一つにおいて、前記脚周り内面シートおよび脚周り外面シートは、前記長手方向と前記幅方向とに弾性伸縮性を有する１枚のシートが兼ねている。
【０００９】
好ましい実施態様のさらに他の一つにおいて、前記前後胴周り域および股下域にはギャザーが形成されていない。
【００１０】
【発明の実施の形態】
添付の図面を参照してこの発明に係る使い捨ておむつの詳細を説明すると、以下のとおりである。
【００１１】
図１、２は、使い捨ておむつ１の部分破断平面図と、図１のＩＩ−ＩＩ線切断面を示す図面である。おむつ１は、着用者の肌に当接する透液性内面シート２と、着衣に当接する外面シート３と、これら両シート２，３間に介在する吸液性コア４とからなる。おむつ１は、前後の長手方向に前胴周り域６と、後胴周り域７と、これら両域６，７間に位置する股下域８とを有し、股下域８の左右両側縁部９には着用者の脚周りにフィットするように湾曲縁１０が形成されている。後胴周り域７の左右両側縁部には、テープファスナ１１が取り付けられている。内外面シート２，３は、コア４の周縁から延出する部分で重なり合い、ホットメルト接着剤１２で互いに接合している。
【００１２】
かかるおむつ１において、内外面シート２，３のそれぞれは、おむつ１の長手方向と直交する幅方向への弾性伸縮性を有している。ただし、股下域８の両側縁部９では、内外面シート２，３のそれぞれを局部的に切り欠いて、そこにおむつ１の長手方向と幅方向とに弾性伸縮性を有する脚周り内面シート２２と、脚周り外面シート２３とが取り付けられている。脚周り内面シート２２は、好ましくは吸汗性と通気性とを有し、脚周り外面シート２３が、好ましくは通気性と不透液性とを有している。これら脚周り内外面シート２２，２３は、それぞれ内面シート２の内面と、外面シート３の内面とに、例えばサインカーブ状に塗布されたホットメルト接着剤１２で接合し、脚周り内外面シート２２，２３どうしも重なり合って、サインカーブ状や小さなドット状に塗布されたホットメルト接着剤１３で互いに接合している（図１参照）。
【００１３】
おむつ１は、これを図１のように広げて乳幼児に着用させることができる。このおむつ１には従来のおむつのようなギャザーがないから、おむつ１を広げたなら、ギャザーを伸ばす手間をかけることなく、乳幼児にすぐに着用させることができる。おむつ１は、内外面シート２，３を胴周り方向へ伸長させて着用すれば身体によく密着する。着用したおむつ１は、脚周りがあらゆる方向へ自由に伸縮するので着用者の脚の動きを妨げることがない。
【００１４】
図３は、この発明の実施態様の一例を示す図２と同様な図面の一部分である。このおむつ１では、股下域８の側縁部９のそれぞれにおむつ１の長手方向と幅方向とに弾性伸縮性を有する１枚の脚周りシート２５がホットメルト接着剤１２，１３を介して内外面シート２，３それぞれの内面に取り付けられている。かかる脚周りシート２５は、図２における脚周り内面シート２２と脚周り外面シート２３とを兼ねている。
【００１５】
図４、５は、この発明の実施態様の一例を示す図１と同様な図面と、そのＶ−Ｖ線切断面を示す図面である。このおむつ１では、内面シート２が前後胴周り域内面シート２Ａ，２Ｂと股下域内面シート２Ｃとに、外面シート３が前後胴周り域外面シート３Ａ，３Ｂと股下域外面シート３Ｃとに分割されている。前後胴周り域内面シート２Ａ，２Ｂと前後胴周り域外面シート３Ａ，３Ｂとは、幅方向への弾性伸縮性を有し、股下域内面シート２Ｃと股下域外面シート３Ｃとは、長手方向と幅方向とに弾性伸縮性を有する。これらシート２Ａ〜２Ｃ，３Ａ〜３Ｃは、互いに重なり合う部分においてサインカーブ状や小さなドット状に塗布されたホットメルト接着剤１２，１３によって接合している。図５において、コア４は、前後胴周り域６，７および股下域８で内外面シート２Ａ〜２Ｃ，３Ａ〜３Ｃの内面に適宜接着することができる。かかるおむつ１もまた、図１のおむつ１と同様に着用させることが容易であり、着用させたおむつ１は着用者の脚の動き、および股下域の動きの妨げになることがない。
【００１６】
かようなおむつ１において、幅方向への伸縮性を有する内外面シート２，２Ａ，２Ｂ，３，３Ａ，３Ｂには、一軸方向への伸縮性を有する不織布やエラストマーのフィルムを使用することができる。不織布やフィルムには適宜の大きさの開孔を多数形成して、所要の透液性を得ることができる。また、脚周り内面シート２２や脚周り外面シート２３、脚周りシート２５、股下域内外面シート２Ｃ，３Ｃには、二軸方向への伸縮性を有する不織布やエラストマーフィルムを使用することができる。これらの不織布やフィルムは、ホットメルト接着剤等の接着剤や超音波や熱による溶着によって接合することができる。シートどうしの接合は、シートの伸縮性を損なわないようにすることが重要であり、例えば接着剤であればシートに対してサインカーブ状に塗布すると、伸縮性を損なうことがないと同時に、内外面シート２，３の間でコア４からおむつ１の周縁に向かって体液が流れようとするのを止めるのにも有効である。
【００１７】
【発明の効果】
この発明に係る使い捨ておむつにはギャザーがないから、おむつを着用させることが容易である。おむつの脚周りや股下域は、おむつの長手方向と幅方向とに弾性的に伸縮するから、着用者の脚や股下域の動きを妨げることがない。
【図面の簡単な説明】
【図１】使い捨ておむつの部分破断平面図。
【図２】図１のＩＩ−ＩＩ線切断面を示す図。
【図３】実施態様の一例を示す図２と同様の図面。
【図４】実施態様の他の一例を示す図１と同様な図面。
【図５】図４のＶ−Ｖ線切断面を示す図。
【符号の説明】
１    おむつ
２    内面シート
２Ａ 前胴周り域内面シート
２Ｂ 後胴周り域内面シート
２Ｃ 股下域内面シート
３    外面シート
３Ａ 前胴周り域外面シート
３Ｂ 後胴周り域外面シート
３Ｃ 股下域外面シート
４    吸収体（コア）
６    前胴周り域
７    後胴周り域
８    股下域
９ 側縁部
２２ 脚周り内面シート
２３ 脚周り外面シート
２２ 脚周り内面シート
【図１】
0003550053.tif 000002
【図２】
0003550053.tif 000003
【図３】
0003550053.tif 000004
【図４】
0003550053.tif 000005
【図５】
0003550053.tif 000006